(57)【特許請求の範囲】
【請求項１】
円形天面壁と該天面壁の周縁から垂下する円筒形スカート壁とを有する金属薄板製シェルと、該シェルの該天面壁の内面に配設された合成樹脂製ライナーとから成り、容器の口頸部に被嵌せしめて、口頸部の外周面に形成されている雄螺条に対応して該スカート壁に雌螺条を形成し、該天面壁の周縁部を下方に沈降せしめて口頸部に装着される容器蓋において、
該ライナーは半径方向外方に向かって延びる第一のシール面、該第一のシール面の外周縁から上方に延びる第二のシール面、及び該第二のシール面の上端から半径方向外方に延びる補助面を有し、容器の口頸部に装着せしめられると該第一のシール面が口頸部の上端面及び外周面上端部に密接せしめられ、口頸部から離脱した後に口頸部の雄螺条に該雌螺条を螺合せしめて口頸部に再び装着すると、該第二のシール面が口頸部の上端面に密接せしめられる、ことを特徴とする容器蓋。
【請求項２】
該第一のシール面の、少なくとも口頸部の外周面上端部に密接せしめられる部分は、水平に対して０度＜α＜２０度である傾斜角度αをなして半径方向外方に向かって下方に傾斜して延びる、請求項１記載の容器蓋。
【請求項３】
該傾斜角度αは５度＜α＜１０度である、請求項２記載の容器蓋。
【請求項４】
該第二のシール面は水平に対して８０度＜β＜１００度である角度βをなして上方に延びる、請求項１から３までのいずれかに記載の容器蓋。
【請求項５】
該補助面は水平に対して−１０度＜γ＜１０度である角度γをなして延びる、請求項１から３までのいずれかに記載の容器蓋。
【発明の詳細な説明】
【０００１】
【発明の属する技術分野】
本発明は、金属薄板製シェルと合成樹脂製ライナーとから成る、それに限定されるものではないが殊に金属薄板製容器に適する容器蓋に関する。
【０００２】
【従来の技術】
果実汁などの飲料のための容器として、近時においては、リシール罐と称されている金属薄板製容器が広く使用されている。かかる容器はアルミニウム基合金薄板、クロム酸処理鋼薄板及びブリキ薄板の如き適宜の金属薄板から形成されており、略円筒形状の口頸部を有している。口頸部の上端部には外巻き或いは内巻きカールが形成されており、カールの下方には雄螺条が形成され、雄螺条の更に下方には係止あごが形成されている。そして、かような容器のための容器蓋としては、金属薄板製シェルと合成樹脂製ライナーとから成る容器蓋が使用されている。金属薄板製シェルは円形天面壁とこの天面壁の周縁から垂下する円筒形スカート壁とを有する。スカート壁には周方向破断ラインが形成されており、スカート壁は周方向破断ラインよりも上方の主部と周方向破断ラインよりも下方のタンパーエビデント裾部とに区画されている。周方向破断ラインは周方向に間隔をおいて周方向に延びる複数個のスリットとかかるスリット間に位置する橋絡部とから構成されている。合成樹脂製ライナーはシェルの天面壁の内面に配設されている。
【０００３】
容器の口頸部に容器蓋を装着して口頸部を密封する際には、口頸部に容器蓋を被嵌し、口頸部の雄螺条に対応して容器蓋のスカート壁の主部に雌螺条を形成し、スカート壁のタンパーエビデント裾部の下端部を半径方向内側に変形せしめて口頸部の係止あごに係止する。そしてまた、容器蓋の天面壁の周縁部を下方に沈降せしめ、これによって口頸部の上端部及び外周面上端部、即ちカール上端面及び外周面に、ライナーを密接せしめる。
【０００４】
【発明が解決しようとする課題】
上述したとおりの容器蓋は、次の３つの要件を充足することが望まれる。第一に、容器の口頸部から容器蓋を離脱せしめて口頸部を開封する際には、スカート壁に形成されている周方向破断ラインの破断（更に詳しくは橋絡部の破断）が開始されるまではライナーが口頸部に充分緊密に密接せしめられ続けて口頸部の密封が維持される、換言すれば口頸部の密封が解除された時点においては周方向破断ラインの破断がすでに開始されていることが重要である。さもなくば、容器蓋を意図的に所要角度回転せしめて口頸部の密封を解除しても、かかる悪戯が明示されないことになる。第二に、容器の口頸部から容器蓋を一端離脱せしめて口頸部を開封した後においても、容器内の内容物が全て消費されることなく部分的に残留せしめられている場合には、口頸部の雄螺条に容器蓋の雌螺条を螺合せしめて口頸部に容器蓋を再び装着することによって、口頸部を再び密封することができることが望まれる。第三に、口頸部を一端開封した後においては、内容物の発酵等に起因して容器内の圧力が過剰に増大せしめられることがあり、それ故に口頸部を一端開封した後に口頸部に容器蓋を再び装着し、しかる後に更に口頸部から容器蓋を離脱して口頸部を再び開封する際には、口頸部の雄螺条と容器蓋の雌螺条とが未だ充分に螺合せしめられている間に口頸部からライナーが離隔して口頸部が開封されることが重要である。口頸部の雄螺条と容器蓋の雌螺条との螺合がある程度解除された後に口頸部の密封が開封されると、口頸部内に過剰な圧力が生成されている場合に、口頸部の雄螺条と容器蓋の雌螺条との螺合がある程度解除された時点で容器蓋が相当な速度で飛翔されて使用者に衝突してしまう所謂ミサイリングが発生する虞がある。然るに、従来の容器は、殊に容器の口頸部に形成されている雄螺条の所謂高さが比較的低い場合上記３つの要件の全てを充分確実に充足することができず、いずれかの要件を欠く傾向がある。
【０００５】
本発明は上記事実に鑑てなされたものであり、その主たる技術課題は、金属薄板製容器に適用した場合、上述した３つの要件の全てを十分確実に充足することができる。金属薄板製シェルと合成樹脂製ライナーとから成る新規且つ改良された容器蓋を提供することである。
【０００６】
【課題が解決するための手段】
本発明によれば、シェルの天面壁の内面に配設されるライナーの形態を改良することによって、上記技術的課題が達成される。
【０００７】
即ち、本発明によれば、上記技術的課題を達成する容器蓋として、円形天面壁と該天面壁の周縁から垂下する円筒形スカート壁とを有する金属薄板製シェルと、該シェルの該天面壁の内面に配設された合成樹脂製ライナーとから成り、容器の口頸部に被嵌せしめて、口頸部の外周面に形成されている雄螺条に対応して該スカート壁に雌螺条を形成し、該天面壁の周縁部を下方に沈降せしめて口頸部に装着される容器蓋において、
該ライナーは半径方向外方に向かって延びる第一のシール面、該第一のシール面の外周縁から上方に延びる第二のシール面、及び該第二のシール面の上端から半径方向外方に延びる補助面を有し、容器の口頸部に装着せしめられると該第一のシール面が口頸部の上端面及び外周面上端部に密接せしめられ、口頸部から離脱した後に口頸部の雄螺条に該雌螺条を螺合せしめて口頸部に再び装着すると、該第二のシール面が口頸部の上端面に密接せしめられる、ことを特徴とする容器蓋が提供される。
【０００８】
該第一のシール面の、少なくとも口頸部の外周面上端部に密接せしめられる部分は、水平に対して０度＜α＜２０度、特に５度＜α＜１０度、である傾斜角度αをなして半径方向外方に向かって下方に傾斜して延びるのが好適である。該第二のシール面は水平に対して８０度＜β＜１００度である角度βをなして上方に延び、該補助面は水平に対して−１０度＜γ＜１０度である角度γをなして延びるのが好ましい。
【０００９】
【発明の実施形態】
以下、本発明に従って構成された容器蓋の好適実施形態について、添付図面を参照して詳細に説明する。
【００１０】
図１には、金属製容器の口頸部の典型例と共に、この口頸部に適用される本発明に従がって構成された容器蓋の好適実施形態が図示されている。アルミニウム基合金薄板、クロム酸処理鋼薄板或いはブリキ薄板の如き適宜の金属薄板から形成することができる容器の口頸部２は全体として略円筒形状であり、その軸線方向中央部には雄螺条４が形成され、かかる雄螺条４の下方には環状に膨出せしめられた係止あご部６が形成されている。口頸部２の上部は上方に向かって直径が漸次減少する円錐台形状にせしめられており、口頸部２の上端部にはカール８が形成されている。カール８は、断面図において、上方及び半径方向外方に向かって円弧状に延び、次いで半径方向外方及び下方に向かって若干だけ円弧状に延び、更に軸線方向下方に略鉛直に延び、しかる後に下方及び半径方向内側に向かって若干だけ円弧状に延びている。かような口頸部２を備えた金属製容器自体は周知であるので、金属製容器自体についての詳細な説明は、本明細書においては省略する。
【００１１】
全体を番号１０で示す容器蓋は、金属製薄板製シェル１２及び合成樹脂製ライナー１４とから構成されている。アルミニウム基合金薄板、クロム酸処理鋼薄板或いはブリキ薄板の如き適宜の金属薄板から形成することができるシェル１２は、円形天面壁１６とこの天面壁１６の周縁から垂下する略円筒形状のスカート壁１８とを有する。スカート壁１８には周方向破断ライン２０が形成されており、スカート壁１８は周方向破断ライン２０よりも上方の主部２２と周方向破断ライン２０よりも下方のタンパーエビデント裾部２４とに区画されている。図示の実施形態においては、スカート壁１８の下部には環状膨出部２６が形成されており、上記周方向破断ライン２０は環状膨出部２６に配設されており、周方向に間隔をおいて周方向に延びる複数個のスリット２８とこれらのスリット２８間に存在する橋絡部３０とから構成されている。スカート壁１８の上部には環状溝部３２が形成されている。スカート壁１８の、上記環状溝部３２よりも上方の領域には、周方向に凹凸が交互に存在する所謂ナール３４が形成されている。ナール３４における凹部の上端部は切断されて半径方向内側に変位せしめられており、これによってスカート壁１８の上端部には周方向に間隔をおいて複数個の比較的小さい開口３６が形成されている（図１及び図２と共に図３を参照されたい）。かかる開口３６は、後述する、容器の口頸部２を洗浄する際における洗浄液の流入孔として機能する。また、開口３６は、後述する、口頸部２を開封する際の通気孔としても機能する。
【００１２】
図１及び図２を参照して説明を続ける。軟質ポリエチレンの如き適宜の合成樹脂から形成することができる合成樹脂製ライナー１４はシェル１２の天面壁１６の内面に配設されている。図示の実施形態におけるライナー１４は、中央薄肉部３８、中央薄肉部３８の周縁から軸線方向下方に突出する環状突条４０及び環状突条４０の外周縁から半径方向外方に延びる環状周縁部４２を含む。中央薄肉部３８は実質上水平に延びる円形面３８aを有する。環状突条４０は、円形面３８ａの周縁から実質上鉛直に延びる内周面４０ａ、及び若干だけ半径方向外方に向かって円弧状に延び次いで半径方向外方向かって上方に傾斜して延びる外周面４０ｂを有する。周縁部４２は、環状突条４０の外周縁から半径方向外方に実質上水平に延びる環状水平面４２ａ、水平面４２ａの外周縁から半径方向外方に向かって延びる第一のシール面４２ｂ、第一のシール面４２ｂの外周縁から上方に延びる第二のシール面４２ｃ、第二のシール面４２ｃの上端から半径方向外方に延びる補助面４２ｄ及び補助面４２ｄの外周縁から実質上鉛直に延びる筒状の鉛直面４２ｅを有する。第一のシール面４２ｂの、少なくとも口頸部２の外周面上端部に密接せしめられている部分は、水平に対して０度＜α＜２０度、特に５度＜α＜１０度、である傾斜角度αをなして半径方向外方に向かって下方に傾斜して延びているのが好適である。第二のシール面４２ｃは水平に対して８０度＜β＜１００度である角度βをなして上方に延び、補助面４２ｄは水平に対して−１０度＜γ＜１０度である角度γをなして延びているのが好ましい。
【００１３】
上記ライナー１４は、軟化乃至溶融状態の合成樹脂素材をシェル１２の天面壁１６の内面に供給し、合成樹脂素材を型押工具によって型押する所謂型押成形法によって好都合に形成する事ができる。また、上記環状突条４０は、合成樹脂素材を型押成形しライナー１４を形成する際の合成樹脂素材の流動を容易にする為に形成されている。
【００１４】
図１乃至図４を参照して説明を続けると、金属製容器内に内容物を充填した後に口頸部２に容器蓋１０を装着して口頸部２を密封する際には、適宜の様式によって口頸部２に容器蓋１０を被嵌し、平坦な円形下面４４ａを有する押圧工具４４を容器蓋１０のシェル１２の天面壁１６の外面に当接せしめて天面壁１６を下方に押圧する。これと同時に或いはこれに続いて容器蓋１０のスカート壁１８に螺条形成工具４６を作用せしめてスカート壁１８に形成されている環状溝部３２から下方に向けて口頸部１８の雄螺条４に沿ってスカート壁１８に雌螺条４８を形成する。更に、スカート壁１８のタンパーエビデント裾部２４に係止工具５０を作用せしめてタンパーエビデント裾部２４を半径方向内側に強制して口頸部２の係止あご部６に係止せしめる。そしてまた、下端部内周面に下方を向いた環状肩面５２ａを有する絞り工具５２をシェル１２の天面壁１６とスカート壁１８との境界領域に作用せしめて天面壁１６とスカート壁１８との境界領域を下方及び半径方向内側に没入せしめる。かくすると、図１において口頸部２の上端面が当接せしめられている位置よりも半径方向外側のライナー１４は下方に変形されて、図３及び図４に図示する如く、ライナー１４の第一のシール面４２ｂが口頸部２におけるカール８の上端面及び外周面上端部に密接せしめられ、これによって口頸部２が密封される。上記押圧工具４４、螺条形成工具４６、係止工具５０及び絞り工具５２並びにこれによる容器蓋締加工は当業者には周知の形態でよく、従がってこれらの形態についての詳細な説明は本明細書において省略する。
【００１５】
口頸部２に容器蓋１０を装着して口頸部２を密封した後においては、必用に応じて容器蓋１０に洗浄液が噴射され、容器の口頸部２が洗浄される。かかる際においては、洗浄液が容器蓋１０のシェル１２に形成されている開口３６を通して口頸部２の外周面に流入し、充填の際に口頸部２の外周面に付着し得る内容物が洗い流される。
【００１６】
容器の口頸部２を開封して内容物を消費する際には、容器蓋１０を開方向即ち図３において上方から見て反時計方向に回転せしめる。かくすると、口頸部２の雄螺条４と容器蓋１０の雌螺条４８との協働によって容器蓋１０は回転と共に上昇せしめられる。しかしながら、容器蓋１０のシェル１２におけるタンパーエビデント裾部２４は口頸部２の係止あご部６に係止されており上昇が阻止されている。それ故に、スカート壁１８の周方向破断ライン２０に、更に詳細にはその橋絡部３０に相当な応力が生成され、橋絡部３０が破断される。本発明の容器蓋１０においては、ライナー１４の第一のシール面４２ｂが口頸部２の上端面及び外周面上端部に密接せしめられているが故に、橋絡部３０の破断が開始されるまでライナー１４が口頸部２に充分緊密に密接せしめられ続けて口頸部２の密封が維持される。しかる後においては、周方向破断ライン２０の破断によってスカート壁１８の主部２２から切り離されたタンパーエビデント裾部２４を口頸部２に残留せしめて、容器蓋１０のタンパーエビデント裾部２４以外の部分は回転と共に上昇せしめられて口頸部２から離脱され、かくして口頸部２が開封される。
【００１７】
図５及び図６を参照して説明を続けると、容器の口頸部２から容器蓋１０を一端離脱せしめて口頸部２を開封した後においても、容器内の内容物が全て消費されることなく部分的に残留せしめられている場合には、口頸部２に再び容器蓋１０を装着することによって口頸部２を再び密封する。かかる際には、口頸部２から離脱せしめた容器蓋１０を再び口頸部２に被嵌して、図３において上方から見て時計方向に回転せしめる。かくすると、口頸部２の雄螺条４に容器蓋１０の雌螺条４８が再び螺合せしめられ、容器蓋１０は回転におおじて下降せしめられる。次いで、ライナー１４の補助面４２ｄが口頸部２の外周面上端部に作用し、口頸部２に対して容器蓋１０が整合、更に詳しくは口頸部２の中心軸線に対して容器蓋１０の中心軸線が整合せしめられる。しかる後においては、ライナー１４の第二のシール面４２ｃが口頸部２の上端面に密接され、口頸部２は再び密封される。
【００１８】
その後、更に口頸部２から容器蓋１０を離脱して口頸部２を再び開封する際には、容器蓋１０を上方から見て反時計方向に再び回転せしめ、口頸部２に沿って上昇せしめる。かくすると、口頸部２の雄螺条４と容器蓋１０の雌螺条４８とが未だ充分に螺合せしめられている間に、口頸部２の上端面からライナー１４の第二のシール面４２ｃが離隔せしめられて口頸部２が開封され、ミサイリングが発生する虞を確実に防止できる。
【００１９】
図示の容器蓋１０は、容器蓋１０を口頸部２から離脱せしめて口頸部２を開封する際には、周方向破断ライン２０が周方向全体に渡って破断されタンパーエビデント裾部２４がスカート壁１８の主部２２から完全に分離される形態であるが、本発明はかかる形態の容器蓋に限定されるものではなく、種々の形態の容器蓋、例えばタンパーエビデント裾部に１個乃至複数個の軸線方向破断ラインを配設し、口頸部から容器蓋を離脱して口頸部を開封する際には、周方向破断ラインは完全には破断されることなく一部が残留せしめられ、軸線方向破段ラインが破断されることによってタンパーエビデント裾部が無端環状から有端環状に展開され、タンパーエビデント裾部を含む容器蓋の全体が口頸部から離脱されるようになすこともできる。
【００２０】
【発明の効果】
本発明の容器蓋においては、次の３つの要件の全てを充足することができる。第一に、口頸部を開封する際には、スカート壁に形成されている周方向破断ラインの破断が開始されるまでは口頸部の密封を維持できる。第二に、容器の口頸部から容器蓋を一端離脱せしめて口頸部を開封した後においても、口頸部を再び密封することができる。第三に、口頸部を一端開封した後に口頸部に容器蓋を再び装着し、しかる後に口頸部を再び開封した際のミサイリングの発生する虞を防止できる。
【図面の簡単な説明】
【図１】本発明に従って構成された容器蓋の好適実施形態を金属製容器の口頸部に被嵌した状態を、一部を断面で示す正面図。
【図２】図１に示す容器蓋を金属製容器の口頸部に被嵌した状態を示す拡大部分断面図。
【図３】図１に示す容器蓋を金属製容器の口頸部に装着して口頸部を密封した状態を、装着の際に使用される工具と共に、一部を断面で示す正面図。
【図４】図１に示す容器蓋を金属製容器の口頸部に装着して口頸部を密封した状態を示す拡大部分断面図。
【図５】図１に示す容器蓋を金属製容器の口頸部に装着して口頸部を密封した状態を実線で示し、容器蓋を金属製容器の口頸部から一端離脱せしめて口頸部を開封した後、口頸部の雄螺条に容器蓋の雌螺条を螺合せしめて口頸部に容器蓋を再び
装着した状態を二点鎖線で示す図。
【図６】図１に示す容器蓋を金属製容器の口頸部から一端離脱せしめて口頸部を開封した後、口頸部の雄螺条に容器蓋の雌螺条を螺合せしめて口頸部に容器蓋を再び
装着した状態を示す拡大部分断面図。
【符号の説明】
２：口頸部
４：雄螺条
１０：容器蓋
１２：シェル
１４：ライナー
１６：天面壁
１８：スカート壁
４２ｂ：第一のシール面
４２ｃ：第二のシール面
４２ｄ：補助面
４８：雌螺条
【図１】
0003990587.tif 000002
【図２】
0003990587.tif 000003
【図３】
0003990587.tif 000004
【図４】
0003990587.tif 000005
【図５】
0003990587.tif 000006
【図６】
0003990587.tif 000007